(57)【特許請求の範囲】
【請求項１】
移動する指の指紋情報を読み取る読取手段と、
前記読取手段で読み取った指紋情報に基づいて前記指の移動方向を判定する判定手段と、
前記移動方向が所定方向と一致する場合、前記読取手段で読み取った指紋情報と対応付けられた管理番号が付加されたファイルの検索を行い、前記移動方向が前記所定方向と異なる場合、前記読取手段で読み取った指紋情報と対応付けられた管理番号以外の管理番号が付加されたファイルの検索を行う検索手段とを備えたファイル管理装置。
【請求項２】
前記検索手段は、前記読取手段で読み取った指紋情報が、記録手段に記録されている指紋情報と一致するか否かを判定し、
前記移動方向が前記所定方向と異なり、かつ、前記読取部で読み取った前記指紋情報が、前記記録手段に記録されている前記指紋情報と一致しない場合、全てのファイルのリストを表示する表示手段を備えた請求項１に記載のファイル管理装置。
【請求項３】
コンピュータが、
移動する指の指紋情報を読み取るステップと、
前記指紋情報を読み取るステップにて読み取った指紋情報に基づいて前記指の移動方向を判定するステップと、
前記移動方向が所定方向と一致する場合、前記指紋情報を読み取るステップにて読み取った指紋情報と対応付けられた管理番号が付加されたファイルの検索を行い、前記移動方向が所定方向と異なる場合に、前記指紋情報を読み取るステップにて読み取った指紋情報以外の指紋情報と対応付けられた管理番号が付加されたファイルの検索を行うステップと、を実行するファイル管理方法。
【請求項４】
前記検索を行うステップは、前記読み取るステップで読み取った指紋情報が、記録手段に記録されている指紋情報と一致するか否かを判定し、
前記移動方向が前記所定方向と異なり、かつ、前記読み取るステップで読み取った前記指紋情報が、前記記録手段に記録されている前記指紋情報と一致しない場合、全てのファイルのリストを表示手段に表示するステップを前記コンピュータが実行する請求項３に記
載のファイル管理方法。
【請求項５】
移動する指の指紋情報を読み取るステップと、
前記指紋情報を読み取るステップにて読み取った指紋情報に基づいて前記指の移動方向を判定するステップと、
前記移動方向が所定方向と一致する場合、前記指紋情報を読み取るステップにて読み取った指紋情報と対応付けられた管理番号が付加されたファイルの検索を行い、前記移動方向が所定方向と異なる場合に、前記指紋情報を読み取るステップにて読み取った指紋情報以外の指紋情報と対応付けられた管理番号が付加されたファイルの検索を行うステップと、をコンピュータに実行させるファイル管理プログラム。
【請求項６】
前記検索を行うステップは、前記読み取るステップで読み取った指紋情報が、記録手段に記録されている指紋情報と一致するか否かを判定し、
前記移動方向が前記所定方向と異なり、かつ、前記読み取るステップで読み取った前記指紋情報が、前記記録手段に記録されている前記指紋情報と一致しない場合、全てのファイルのリストを表示手段に表示するステップを前記コンピュータに実行させる請求項５に記載のファイル管理プログラム。
【発明の詳細な説明】
【技術分野】
【０００１】
本発明は、生体情報に応じてファイル管理を行う技術に関する。
【背景技術】
【０００２】
従来、複数のユーザで共用する領域にファイルを格納する場合、該ユーザとファイルとの対応関係を登録しておくことにより、ファイルの検索等の処理を行っていた。
特に、該ファイルの読み取りや書き込み、削除といった利用権限を設定する場合には、該利用権限毎にユーザとの対応関係を詳細に登録していた。【０００３】
また、本願発明に関連する先行技術として、例えば、下記の特許文献に開示される技術がある。
【特許文献１】特開平０３−１７６７１９号公報
【特許文献２】特開２００３−２８８１６０号公報
【特許文献３】特開２００３−２９８６８９号公報
【特許文献４】特開２００４−３８８７０号公報
【特許文献５】特開平１０−９１７６９号公報
【特許文献６】特開平１０−２６９１４５号公報
【特許文献７】特開２００１−３５０７２６号公報
【特許文献８】特開２００３−１３２６２６号公報
【特許文献９】特開平１０−１５４１３１号公報
【特許文献１０】特開２０００−３５８０２５号公報
【発明の開示】
【発明が解決しようとする課題】
【０００４】
上記のように、ユーザとファイルとの対応関係を登録する場合には、対象のファイル毎にユーザ名やパスワードといったユーザを特定する情報（以下単に識別情報とも称する）を入力して一つずつ登録するのが一般的であった。
しかし、デジタルカメラや半導体オーディオ、ＴＶチューナ付のパソコン等の普及に伴い、ユーザが日常的に扱うファイルの量は増加する傾向にあり、大量のファイルの中から必要なファイルを選んで逐一識別情報を登録するのは非常に煩わしい作業であった。
更に、ファイルの利用権限を設定するためには、設定用のメニュー等を表示させて詳細に登録を行う必要があり、操作性の悪いものであった。【０００５】
そこで本発明は、生体情報の読み取りに応じて、ファイルに属性情報を付加することにより、ファイルのマーキングを容易にする技術を提供する。
【課題を解決するための手段】
【０００６】
上記課題を解決するため、本発明は、以下の構成を採用した。
即ち、本発明のファイル管理装置は、
移動する生体の生体情報を読み取る読取手段と、
前記生体情報に基づく属性情報をファイルに付加する属性付加手段と、
を備えた。
前記読取手段は、前記生体の移動に伴って生体情報を順次読み取る手段でも良い。
前記読取手段は、線状のセンサであり、該センサの長手と直交する方向に移動する生体の情報を順次線状に読み取る手段でも良い。【０００７】
また、本発明のファイル管理装置は、
移動する生体の生体情報を読み取る読取手段と、
前記読取手段で読み取った生体情報に基づいて前記生体の移動方向を判定する判定手段と、
前記移動方向が所定方向と一致する場合に、前記生体情報に基づいてファイルの検索を行う検索手段とを備える。【０００８】
前記検索手段は、前記移動方向が所定方向と一致する場合に、当該生体情報に基づく属性情報が付加されたファイルを索出し、前記移動方向が所定方向と異なる場合に、当該生体情報以外の生体情報に基づく属性情報が付加されたファイルを索出しても良い。【０００９】
本発明のファイル管理方法は、
移動する生体の生体情報を読み取るステップと、
前記生体情報に基づく属性情報をファイルに付加するステップと、
を備えた。【００１０】
前記生体情報を読み取るステップにて、前記生体の移動に伴って生体情報を順次読み取っても良い。
前記生体情報を読み取るステップにて、線状のセンサの長手と直交する方向に移動する生体の情報を順次線状に読み取っても良い。【００１１】
また、本発明のファイル管理方法は、
移動する生体の生体情報を読み取るステップと、
前記生体情報を読み取るステップにて読み取った生体情報に基づいて前記生体の移動方向を判定するステップと、
前記移動方向が所定方向と一致する場合に、前記生体情報に基づいてファイルの検索を行うステップとを備えたファイル管理方法。【００１２】
前記ファイル管理方法は、前記生体情報を読み取るステップにて読み取った生体情報に基づいて前記生体の移動方向を判定するステップと、
前記移動方向が所定方向と一致する場合に、当該生体情報に基づく属性情報が付加されたファイルを索出し、前記移動方向が所定方向と異なる場合に、当該生体情報以外の生体情報に基づく属性情報が付加されたファイルを索出するステップとを含んでも良い。【００１３】
また、本発明は、上記ファイル管理方法をコンピュータに実行させるファイル管理プログラムであっても良い。更に、本発明は、このファイル管理プログラムをコンピュータが読み取り可能な記録媒体に記録したものであっても良い。コンピュータに、この記録媒体のプログラムを読み込ませて実行させることにより、その機能を提供させることができる。【００１４】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。【００１５】
また、コンピュータに固定された記録媒体としてハードディスクやＲＯＭ（リードオンリーメモリ）等がある。
【発明の効果】
【００１６】
本発明によれば、生体情報の読み取りに応じて、ファイルに属性情報を付加することにより、ファイルのマーキングを容易にする技術を提供する。
にする技術を提供できる。
【図面の簡単な説明】
【００１７】
【図１】ファイル管理装置の機能ブロック図
【図２】指紋読取装置の説明図
【図３】録画予約方法の説明図
【図４】予約画面例を示す図
【図５】電子番組表の説明図
【図６】詳細設定画面の説明図
【図７】録画方法の説明図
【図８】視聴方法の説明図
【発明を実施するための最良の形態】
【００１８】
図１は、本発明のファイル管理装置として機能する情報処理装置（コンピュータ）の概略図、図２が該コンピュータの外観図である。
図１，２に示したように本発明のコンピュータ１は、ノートブック型のパーソナルコンピュータ（以下、ノートＰＣとも称す）であり、筐体１１内にＣＰＵ（central processing unit）やメインメモリ等よりなる演算処理部１２、演算処理の為のデータやソフトウェアを記憶した記憶部（ハードディスク）１３、入出力ポート１４、通信制御部（ＣＣＵ：Communication Control Unit）１５等を備えている。【００１９】
該入出力ポート１４には、キーボードやマウス、ＣＤ−ＲＯＭドライブ、指紋読取部（読取手段）１６、ＴＶチューナ１７等の入力デバイス、そして表示装置やプリンター等の出力デバイスが適宜接続される。
ＴＶチューナ１７は、放送局からの電波やケーブルを介してＴＶ放送を受信し、所望のＴＶ番組を検出する。【００２０】
指紋読取部１６は、図２に示すように、キーボード近傍に設けた線状のセンサである。該指紋読取部１６は、ＣＣＤやＣ−ＭＯＳ等の光電変換素子を列設し、検知面（本例では筐体１１の外面と略一致させた面）上に位置させたユーザの指Ｕの像を該光電変換素子の受光面上に形成するように構成している。これによりユーザが指Ｕを該指紋読取部１６の検知面に当接させた状態で、その長手方向ｘと直交方向ｙにスライドさせると、前記光電変換素子が該指Ｕの指紋の像を順次電子データに変換することにより、この指紋情報（生体情報）が得られる。また、本例では、指のスライド方向を検出するために、この光電変換素子列をｙ方向に所定距離を隔てて複数列設け、同時に２箇所の読み取りを行えるようにしている。【００２１】
ＣＣＵ１５は、ネットワークを介した他のコンピュータとの通信を制御する。
記憶手段１３には、オペレーティングシステム（ＯＳ）やアプリケーションソフト（ファイル管理プログラム等）がインストールされている。また、記憶手段１３には、指紋読取部１６で読み取ったユーザの指紋情報を固有の管理番号と対応付けて保存したデータテーブルも記憶している。【００２２】
演算処理部１２は、前記ＯＳやアプリケーションプログラムを記憶部１３から適宜読み出して実行し、入出力ポート１４やＣＣＵ１５から入力された情報、及び記憶部１３から読み出した情報を演算処理することにより、録画手段や、判定手段、属性付加手段、検索手段としても機能する。【００２３】
この録画手段としては、ＴＶチューナ１７で受信したＴＶ番組をＭＰＥＧ等の所定形式のファイルにエンコードして記憶部１３に記憶させる。
判定手段としては、前記読取手段で読み取った生体情報に基づいて前記生体の移動方向を判定する。なお、判定方法は、公知の技術の何れであっても良いが、本例では、ｙ方向の２箇所で同時に読み取った指紋情報を比較し、どちらの箇所で指紋情報が遅れて読み取られるかによって移動方向を判定している。
属性付加手段としては、前記生体情報に基づき、録画したユーザが誰かを示す属性情報を録画したファイルに付加する。
検索手段としては、前記生体の移動方向が所定方向と一致する場合に、当該生体情報に基づく属性情報が付加されたファイルを索出し、前記移動方向が所定方向と異なる場合に、当該生体情報以外の生体情報に基づく属性情報が付加されたファイルを索出する。即ち、本例では、ユーザが指を下にスライドさせた場合に、該ユーザの録画したファイルを検索し、ユーザが指を上にスライドさせた場合に、該ユーザ以外が録画したファイルを検索する。【００２４】
次に、この構成のノートＰＣ１において実行されるファイル管理方法について、図３〜図８を用いて説明する。
〈録画予約方法〉
ノートＰＣ１は、ユーザの操作に応じて録画用のアプリケーションプログラムを起動させると（ステップ１、以下Ｓ１のように略記する）、先ず図４に示すメニュー画面を表示する。【００２５】
そして、電子番組表４０が選択されるとノートＰＣ１は、録画手段の機能により、図５に示す電子番組表を表示させる（Ｓ２）。
ユーザが録画したい番組４１を選択すると、録画手段はこの選択を受け付けて、該番組４１の録画開始時間、録画終了時間、チャンネル等の情報をネットワークを介してサーバから取得する（Ｓ３）。【００２６】
次に録画手段は、オプションの選択画面（図６）を表示させ、録画画質や書込み保護設定、簡単検索等、録画に関する詳細の選択を促す（Ｓ４）。例えば録画したファイルを簡単に検索できるようにマーキングするのであれば簡単検索をＯＮとし、このマーキングをしないのであれば簡単検索をＯＦＦにする。【００２７】
そして予約ボタン４２の押下（選択）を検出すると（Ｓ５）、録画手段は、前記簡単検索がＯＮか否かを判定する（Ｓ６）。簡単検索がＯＮの場合には、指紋の入力を促すメッセージを表示し、ユーザが指紋読取部１６上で指をスライドした際に、この指の指紋を読み取る（Ｓ７）。録画手段は、この読み取った指紋情報を複数セグメント（本例では１５分割）に分け（Ｓ８）、記憶部１３のデータテーブルを参照して一致するセグメントがあるか否かを判定する（Ｓ９）。該セグメントが一致した場合には、対応する管理番号を読み出し、上記ステップ３〜４で得た情報と共に録画予約ファイルとして記憶部１３に記憶させる。また、読み取った指紋情報がステップ９で一致しなければ、この指紋情報を管理番号と対応付けて登録し（Ｓ１１）、この管理番号と共に上記ステップ３〜４で得た情報を録画予約ファイルとして記憶部１３に記憶させる（Ｓ１２）。【００２８】
〈録画開始及び録画終了方法〉
図７に示すように、上記録画予約を設定し、待機状態とした場合（Ｓ２１）、録画手段は、録画開始時間の５分前に達したか否を判定し（Ｓ２２）、５分前であればテレビアプリケーションプログラムを起動させる（Ｓ２３）。また、録画手段は、録画開始時間に達したか否かを判定し（Ｓ２４）、録画開始時間に達したらＴＶ番組の録画を開始する（Ｓ２５）。
そして、録画手段は、録画終了時間か否かを判定し（Ｓ２６）、録画終了時間に達したら、録画したファイルのクローズ処理を行う。このとき、簡単検索がＯＮであれば、前記管理番号を属性情報としてこのファイルに付加する。このとき属性情報の付加は、この属性情報を直接ファイルに含めても良いし、該ファイルのパス名など、ファイルを特定できる情報と対応付けてデータテーブルに記憶させるようにしても良い。
また、録画手段は、録画予約時に書込み保護設定が選択されているか否かを判定し（Ｓ２８）、保護設定が選択されていればファイルの属性をリードオンリーに変更する（Ｓ２９）。【００２９】
〈録画番組視聴方法〉
図８に示すように、ユーザがメニュー画面からプログラムナビ（動画番組のリスト表示）４３を選択した場合、ノートＰＣ１は、指紋の入力を促すメッセージを表示し、ユーザが指紋読取部１６上で指をスライドした場合に、この指の指紋を読み取る（Ｓ３２）。
判定手段が、この読み取った指紋情報に基づいて指を下（ｙｂ方向）にスライドさせたか否かを判定する（Ｓ３３）。【００３０】
下にスライドさせた場合、検索手段が、データテーブルを参照し、該指紋情報が一致するか否かを判定し（Ｓ３４）、一致した場合、該指紋情報と対応する管理番号を求め、該管理番号が付加されているコンテンツ（ファイル）をリストアップ（索出）し（Ｓ３５）、このリストを当該ユーザのコンテンツリストとしてアプリケーション上に表示させる（Ｓ３６）。一方、ステップ３４で指紋情報がデータテーブルと一致しなかった場合には、対象コンテンツが存在しないことを表示する（Ｓ３７）。
また、判定手段が、ステップ３３で指Ｕを下にスライドさせていないと判定した場合、指Ｕを上（ｙａ方向）にスライドさせたか否かを判定する（Ｓ３８）。【００３１】
上にスライドさせた場合、検索手段が、データテーブルを参照し、該指紋情報が一致するか否かを判定し（Ｓ３９）、一致した場合、該指紋情報と対応する管理番号を求め、該管理番号以外が付加されているコンテンツ（ファイル）をリストアップ（索出）し（Ｓ４０）、このリストを他のユーザのコンテンツリストとしてアプリケーション上に表示させる（Ｓ４１）。一方、ステップ３９で指紋情報がデータテーブルと一致しなかった場合には、すべてのコンテンツをアプリケーション上にリスト表示する（Ｓ４２）。
また、判定手段が、ステップ３８で指Ｕを上にスライドさせていないと判定した場合、エラーメッセージを表示させた後（Ｓ４３）、すべてのコンテンツをアプリケーション上にリスト表示する（Ｓ４２）。【００３２】
これらのリストからユーザが所望のコンテンツを選択すると（Ｓ４４）、演算処理部１２は該コンテンツを再生する（Ｓ４５）。
上記のように本実施形態によれば、誰が録画予約したファイルなのかを簡単にマーキングできる。また、ファイルを再生する際も、指のスライド方向を変えるだけで、当該ユーザのリストや、他者のリストを表示させることができ、ＩＤ番号やパスワードを逐一入力する必要がなく、操作性を向上させることができる。
【００３３】
〈その他〉
本発明は、上述の図示例にのみ限定されるものではなく、本発明の要旨を逸脱しない範囲内において種々変更を加え得ることは勿論である。
例えば、予約の際、ステップ７にて読み取った指紋情報から指の移動方向を求め、上にスライドした場合には、当該ユーザ以外閲覧禁止、下にスライドした場合には他のユーザの閲覧は可能だが削除禁止、のように利用権限を設定しても良い。また、当該ユーザ以外の閲覧を禁止した場合には、暗号化した非公開エリアに保存する等してファイルの存在自体を他のユーザから隠しても良い。
【図１】
0004664359.tif 000002
【図２】
0004664359.tif 000003
【図３】
0004664359.tif 000004
【図４】
0004664359.tif 000005
【図５】
0004664359.tif 000006
【図６】
0004664359.tif 000007
【図７】
0004664359.tif 000008
【図８】
0004664359.tif 000009